(57)【要約】【課題】被包装物本体と、プレート状部材と、他の付属部品を含む被包装物を、容易かつ確実に包装することが可能な包装材及びそれを用いた包装構造を提供する。【解決手段】前面及び側面の内側に突出する段部２１を備えた前・側面パッド１１（１１ａ，１１ｂ）を乾燥機本体（被包装物本体）２の両端部に配設して、段部２１を乾燥機本体２の側面及び前面に当接させて乾燥機本体２を保持し、かつ、鍔部１の乾燥機本体２の周辺より外側に突出した部分を逃がして保護し、部品収納部１２と底面パッド部１３を一体に備えた部品収納・底パッド１４を、乾燥機本体２の背面及び底面を保護するように配設するとともに、天パッド１５を、プレート状部材３を収納した状態で乾燥機本体２及び部品収納・底パッド１４の上側に配設し、全体を箱状のケース本体１６に収納する。【選択図】　　　図２
2004136920.tif 000002
【特許請求の範囲】
【請求項１】
他の部分より周辺側に突出した鍔部を備えた被包装物本体と、プレート状部材と、他の付属部品とを含む被包装物を包装するのに用いられる包装材であって、段ボール紙を折り曲げ加工することにより形成され、平面形状が略Ｌ字状で、前面及び側面には、内側に突出し、前記被包装物本体の側面及び前面と当接して被包装物本体を保持するとともに、前記鍔部の被包装物本体の周辺より外側に突出した部分を逃がして保護する段部を備える一対の前・側面パッドと、
段ボール紙を折り曲げ加工することにより形成され、前記被包装物本体の背面を保護するとともに、内部空間に被包装物の他の付属部品が収納される部品収納部と、前記被包装物本体の底面側に位置して前記被包装物本体の底面を保護する底面パッド部を一体に備えた部品収納・底パッドと、
段ボール紙を折り曲げ加工することにより一体に形成され、前記プレート状部材を収納して保護するとともに、前記プレート状部材を収納した状態で前記被包装物本体及び前記部品収納・底パッドの上側に配設され、前記被包装物本体及び前記部品収納・底パッドの天面側を保護する天パッドと、
前記一対の前・側面パッドと、前記部品収納・底パッドと、前記天パッドが所定の位置に配設された状態が保持されるような態様で被包装物を収納する段ボール紙を用いて形成した箱状のケース本体と
を具備することを特徴とする包装材。
【請求項２】
前記前・側面パッドが、所定の形状に打ち抜き加工した一枚の段ボール紙を折り曲げ加工して前記段部を形成するとともに、段部の形状を保持しやすくするために段部形成部の少なくとも一部を、前記一枚の段ボール紙の他の一部に固定した構造を有するものであることを特徴とする請求項１記載の包装材。
【請求項３】
前記部品収納・底パッドが、所定の形状に打ち抜き加工した一枚の段ボール紙を折り曲げ加工して、内部空間に被包装物の他の付属部品を収納する部品収納部と、被包装物本体の底面を保護するプレート状の底面パッド部を一体に備え、かつ、部品収納部の形状が保持されるように部品収納部形成部の少なくとも一部を、前記一枚の段ボール紙の他の一部に固定した構造を有するものであることを特徴とする請求項１又は２記載の包装材。
【請求項４】
前記被包装物が、
（ａ）前記被包装物本体に相当する鍔部を備えた乾燥機本体と、
（ｂ）前記プレート状部材に相当する天井取り付け用グリル板と、
（ｃ）前記被包装物の他の付属部品に相当する排気エルボと
を備えた浴室暖房乾燥機であることを特徴とする請求項１〜３のいずれかに記載の包装材。
【請求項５】
請求項１〜４のいずれかに記載の包装材を用いて、他の部分より周辺側に突出した鍔部を備えた被包装物本体と、プレート状部材と、他の付属部品とを含む被包装物を包装した包装構造であって、
段ボール紙を折り曲げ加工することにより形成され、平面形状が略Ｌ字状で、前面及び側面の内側に突出した段部を備えた一対の前・側面パッドが、被包装物本体の両端側に、前記段部が被包装物本体の側面及び前面と当接して被包装物本体を保持するとともに、被包装物本体の鍔部の突出した部分を逃がすような態様で配設され、
段ボール紙を折り曲げ加工することにより形成され、被包装物の他の付属部品が収納される部品収納部と、被包装物本体の底面を保護する底面パッド部を備えた部品収納・底パッドが、前記部品収納部が被包装物本体の背面を保護するとともに、その内部空間に被包装物の他の付属部品を収納し、かつ、前記底面パッド部が被包装物本体の底面側に位置して被包装物本体の底面を保護するような態様で配設され、
段ボール紙を折り曲げ加工することにより形成された天パッドが、プレート状部材を収納した状態で、被包装物本体及び部品収納・底パッドの天面側を保護するような態様で被包装物本体及び部品収納・底パッドの上側に配設されているとともに、
一対の前・側面パッド、部品収納・底パッド、及び天パッドが所定の位置に配設された状態が保持されるような態様で被包装物が段ボール紙を用いて形成された箱状のケース本体の内部に収納されていること
を特徴とする包装構造。
【発明の詳細な説明】
【０００１】
【発明の属する技術分野】
本願発明は、包装材及び包装構造に関し、詳しくは、天井取り付け用の浴室暖房乾燥機のように、プレート状部材（天井取り付け用グリル板）と、他の付属部品を含む被包装物を包装するのに用いられる包装材及び該包装材を用いた包装構造に関する。
【０００２】
【従来の技術】
天井取り付け用の浴室暖房乾燥機（図７参照）のように、他の部分より周辺側に突出した鍔部（フランジ部）５１を備えた乾燥機本体５２と、包装時には乾燥機本体５２と別に包装され、使用時には乾燥機本体５２の鍔部５１に取り付けて使用されるプレート状部材（天井取り付け用グリル板）５３と、排気エルボ５４、取扱説明書５５などの付属部品を含む被包装物を包装する場合、例えば、図７に示すような包装方法（包装構造）により乾燥機本体５２やプレート状部材５３を包装することが行われている。
【０００３】
すなわち、従来の包装構造においては、図７に示すように、段ボール紙を折り曲げ加工することにより形成された、平面形状が略コ字状の一対の側パッド６１ａ，６１ｂを乾燥機本体５２の両端側に取り付けるとともに、乾燥機本体５２の底面側に底面パッド６２を配設する。
【０００４】
さらに、部品収納パッド６３の凹部６３ａに排気エルボ５４を収納するとともに、乾燥機本体５２の前面側に配設される部品収納箱６４に特に図示しない付属部品（コードなど）を収納する。
また、プレート状部材（天井取り付け用グリル板）５３の上面側及び下面側に下側天パッド６５と上側天パッド６６を配設し、プレート状部材（天井取り付け用グリル板）５３を下側天パッド６５と上側天パッド６６により挟んだ状態で乾燥機本体５２上に載置する。
そして、各包装材が所定の位置に配設された状態で、全体をケース本体（段ボール箱）６７に収納することにより、浴室暖房乾燥機の包装を行っている。
【０００５】
【発明が解決しようとする課題】
しかしながら、上記従来の包装材を用いた包装構造によれば、鍔部（フランジ部）５１を備えた乾燥機本体５２の高さ方向の全体が、平面形状が略コ字状の一対の側パッド６１ａ，６１ｂの内側に位置するように構成されていることから、例えば、搬送中に乾燥機本体５２が移動したりすると、鍔部（フランジ部）５１の外縁などに応力が加わって変形を生じやすく、包装信頼性が必ずしも十分ではないという問題点がある。
【０００６】
また、側パッド６１ａ，６１ｂや、部品収納パッド６３、ケース本体（段ボール箱）６７の他にも、底面パッド６２や、２枚の天パッド６５，６６などを必要とするため、包装材の部品点数が多くなり、包装に手間がかかったり、包装材の準備や管理が煩雑になるという問題点がある。
【０００７】
本願発明は、上記問題点を解決するものであり、部品点数の多い包装材を用いることなく、天井取り付け用の浴室暖房乾燥機のように、他の部分より周辺側に突出した鍔部を備えた被包装物本体と、プレート状部材と、他の付属部品を含む被包装物を、容易かつ確実に包装することが可能な包装材及びそれを用いた包装構造を提供することを目的とする。
【０００８】
【課題を解決するための手段】
上記目的を達成するために、本願発明（請求項１）の包装材は、
他の部分より周辺側に突出した鍔部を備えた被包装物本体と、プレート状部材と、他の付属部品とを含む被包装物を包装するのに用いられる包装材であって、段ボール紙を折り曲げ加工することにより形成され、平面形状が略Ｌ字状で、前面及び側面には、内側に突出し、前記被包装物本体の側面及び前面と当接して被包装物本体を保持するとともに、前記鍔部の被包装物本体の周辺より外側に突出した部分を逃がして保護する段部を備える一対の前・側面パッドと、
段ボール紙を折り曲げ加工することにより形成され、前記被包装物本体の背面を保護するとともに、内部空間に被包装物の他の付属部品が収納される部品収納部と、前記被包装物本体の底面側に位置して前記被包装物本体の底面を保護する底面パッド部を一体に備えた部品収納・底パッドと、
段ボール紙を折り曲げ加工することにより一体に形成され、前記プレート状部材を収納して保護するとともに、前記プレート状部材を収納した状態で前記被包装物本体及び前記部品収納・底パッドの上側に配設され、前記被包装物本体及び前記部品収納・底パッドの天面側を保護する天パッドと、
前記一対の前・側面パッドと、前記部品収納・底パッドと、前記天パッドが所定の位置に配設された状態が保持されるような態様で被包装物を収納する段ボール紙を用いて形成した箱状のケース本体と
を具備することを特徴としている。
【０００９】
本願発明（請求項１）の包装材は、前面及び側面の内側に突出する段部を備えた前・側面パッドを被包装物本体の両端部に配設するようにしているので、段部を被包装物本体の側面及び前面に当接させて被包装物本体を保持するとともに、鍔部の被包装物本体の周辺より外側に突出した部分を逃がして保護することが可能になる。
また、背面を保護するとともに被包装物の他の付属部品が収納される部品収納部と、被包装物本体の底面を保護する底面パッド部を一体に備えた部品収納・底パッドを、被包装物本体の背面及び底面を保護するように配設するとともに、天パッドを、プレート状部材を収納した状態で被包装物本体及び部品収納・底パッドの上側に配設するようにしているので、被包装物本体の背面及び底面を部品収納・底パッドより確実に保護し、かつ、被包装物本体及び部品収納・底パッドの天面側を天パッドにより確実に保護することが可能になる。
したがって、本願発明の包装材によれば、信頼性の高い包装を行うことが可能になる。
また、本願発明（請求項１）の包装材によれば、部品点数の少ない包装材で、鍔部を備えた物品を含む被包装物を容易に包装することが可能になるため、包装コストの低減を図ることが可能になる。
【００１０】
また、請求項２の包装材は、前記前・側面パッドが、所定の形状に打ち抜き加工した一枚の段ボール紙を折り曲げ加工して前記段部を形成するとともに、段部の形状を保持しやすくするために段部形成部の少なくとも一部を、前記一枚の段ボール紙の他の一部に固定した構造を有するものであることを特徴としている。
【００１１】
前・側面パッドを、所定の形状に打ち抜き加工した一枚の段ボール紙を折り曲げ加工して段部を形成するとともに、段部の形状を保持しやすくするために段部形成部を段ボール紙の他の一部に固定した構造とすることにより、容易かつ確実に所定の段差を備えた前・側面パッドを形成することが可能になり、本願発明を実効あらしめることができる。
【００１２】
また、請求項３の包装材は、前記部品収納・底パッドが、所定の形状に打ち抜き加工した一枚の段ボール紙を折り曲げ加工して、内部空間に被包装物の他の付属部品を収納する部品収納部と、被包装物本体の底面を保護するプレート状の底面パッド部を一体に備え、かつ、部品収納部の形状が保持されるように部品収納部形成部の少なくとも一部を、前記一枚の段ボール紙の他の一部に固定した構造を有するものであることを特徴としている。
【００１３】
部品収納・底パッドを、略箱状の部品収納部と、被包装物本体の底面を保護するプレート状の底面パッド部を一体に備え、かつ、略箱状の部品収納部の形状が保持されるように部品収納部形成部の少なくとも一部を、一枚の段ボール紙の他の一部に固定した構造とすることにより、所定の形状、構造を備えた部品収納・底パッドを確実に形成することが可能になり、本願発明をさらに実効あらしめることができる。
【００１４】
また、請求項４の包装材は、
前記被包装物が、
（ａ）前記被包装物本体に相当する鍔部を備えた乾燥機本体と、
（ｂ）前記プレート状部材に相当する天井取り付け用グリル板と、
（ｃ）前記被包装物の他の付属部品に相当する排気エルボと
を備えた浴室暖房乾燥機であることを特徴としている。
【００１５】
本願発明の包装材を、鍔部を備えた乾燥機本体と、天井取り付け用グリル板と、部品収納・底パッドに収納される他の付属部品に相当する排気エルボとを備えた浴室暖房乾燥機の包装に適用した場合、複雑な包装作業を必要とすることなく、衝撃緩衝性能に優れた、信頼性の高い包装を行うことが可能になり特に有意義である。
【００１６】
また、本願発明（請求項５）の包装構造は、
請求項１〜４のいずれかに記載の包装材を用いて、他の部分より周辺側に突出した鍔部を備えた被包装物本体と、プレート状部材と、他の付属部品とを含む被包装物を包装した包装構造であって、
段ボール紙を折り曲げ加工することにより形成され、平面形状が略Ｌ字状で、前面及び側面の内側に突出した段部を備えた一対の前・側面パッドが、被包装物本体の両端側に、前記段部が被包装物本体の側面及び前面と当接して被包装物本体を保持するとともに、被包装物本体の鍔部の突出した部分を逃がすような態様で配設され、
段ボール紙を折り曲げ加工することにより形成され、被包装物の他の付属部品が収納される部品収納部と、被包装物本体の底面を保護する底面パッド部を備えた部品収納・底パッドが、前記部品収納部が被包装物本体の背面を保護するとともに、その内部空間に被包装物の他の付属部品を収納し、かつ、前記底面パッド部が被包装物本体の底面側に位置して被包装物本体の底面を保護するような態様で配設され、
段ボール紙を折り曲げ加工することにより形成された天パッドが、プレート状部材を収納した状態で、被包装物本体及び部品収納・底パッドの天面側を保護するような態様で被包装物本体及び部品収納・底パッドの上側に配設されているとともに、
一対の前・側面パッド、部品収納・底パッド、及び天パッドが所定の位置に配設された状態が保持されるような態様で被包装物が段ボール紙を用いて形成された箱状のケース本体の内部に収納されていること
を特徴としている。
【００１７】
本願発明（請求項５）の包装構造においては、請求項１〜４のいずれかに記載の包装材が用いられており、被包装物本体の両端部には、一対の前・側面パッドが、その段部が被包装物本体の側面及び前面と当接して被包装物本体を保持するとともに、鍔部の突出した部分を段部に当接しないような態様で配設されており、かつ、他の付属部品が収納される部品収納部と、底面パッド部を備えた部品収納・底パッドが、部品収納部の内部空間に他の付属部品を収納し、かつ、底面パッド部が被包装物本体の底面側に位置して被包装物本体の底面を保護するような態様で配設され、天パッドがプレート状部材を収納した状態で、被包装物本体及び部品収納・底パッドの天面側が保護されるような態様で被包装物本体及び部品収納・底パッドの上側に配設されており、さらに、包装材を構成する各部材が所定の位置に配設された状態が保持されるような態様で被包装物が箱状のケース本体に収納されているので、部品点数の少ない包装材を用いて、信頼性の高い包装を実現することが可能になる。
【００１８】
【発明の実施の形態】
以下、本願発明の実施の形態を示して、本願発明の特徴とするところをさらに詳しく説明する。
図１は本願発明の一実施形態にかかる包装材の構成を示す分解斜視図、図２は該包装材を用いた浴室暖房乾燥機（被包装物）の包装構造を示す分解斜視図である。
【００１９】
この実施形態における被包装物は、図２に示すような浴室暖房乾燥機であり、この浴室暖房乾燥機は、他の部分より周辺側（外周側）に突出した鍔部（フランジ部）１を備えた乾燥機本体（被包装物本体）２と、包装時には乾燥機本体２と別に包装され、使用時には乾燥機本体２の鍔部１に取り付けて使用されるプレート状部材（天井取り付け用グリル板）３と、排気エルボ４、コード５などの付属部品を備えている。
【００２０】
また、この実施形態において用いられている包装材は、衝撃から浴室暖房乾燥機を保護する衝撃緩衝機能を果たす紙系材料（この実施形態ではダンボール紙）からなる包装材であり、図１及び図２に示すように、
（ａ）乾燥機本体２の側面及び前面を保護する一対の前・側面パッド１１（１１ａ，１１ｂ）と、
（ｂ）付属部品などを収納する部品収納部１２と、乾燥機本体２の底面を保護する底面パッド部１３を一体に備えた部品収納・底パッド１４と、
（ｃ）プレート状部材３を収納して保護するとともに、乾燥機本体２及び部品収納・底パッド１４の天面側を保護する天パッド１５と、
（ｄ）一対の前・側面パッド１１ａ，１１ｂ、部品収納・底パッド１４、及び天パッド１５が配設された状態で浴室暖房乾燥機を収納して保護するケース本体１６と
を備えている。
また、この実施形態の包装材は、さらに、乾燥機本体２の上面側に配設される乾燥機本体上面保護パッド１７を備えている。ただし、この乾燥機本体上面保護パッド１７の機能は、天パッド１５に果たさせることも可能であり、その場合には、乾燥機本体上面保護パッド１７を省略することが可能である。
【００２１】
前・側面パッド１１（１１ａ，１ｂ）は、図３に示すように、段ボール紙を折り曲げ加工することにより形成され、平面形状が略Ｌ字状で、前面及び側面には、内側に突出し、乾燥機本体２の側面及び前面と当接して乾燥機本体２を保持するとともに、鍔部１の乾燥機本体２の周辺より外側に突出した部分を逃がして保護する段部２１を備えている。
【００２２】
この前・側面パッド１１は、図４に示すように、所定の形状に打ち抜き加工した一枚の段ボール紙２２を折り曲げ加工して段部２１を形成するとともに、段部２１の形状を保持しやすいように段部形成部の所定の部分２３（図３，図４）を段ボール紙２２の他の一部に貼り付けて固定した構造を有している。
【００２３】
また、部品収納・底パッド１４は、図５に示すように、段ボール紙を折り曲げ加工することにより形成され、乾燥機本体２の背面を保護するとともに、内部空間に浴室暖房乾燥機を構成する他の付属部品（排気エルボ４、コード５など）が収納される部品収納部１２と、乾燥機本体２の底面側に位置して乾燥機本体２の底面を保護する底面パッド部１３を一体に備えている。
【００２４】
この部品収納・底パッド１４は、図６に示すように、所定の形状に打ち抜き加工した一枚の段ボール紙２４を折り曲げ加工して、内部空間に浴室暖房乾燥機を構成する他の付属部品（排気エルボ４、コード５など）が収納される略箱状の部品収納部１２と、乾燥機本体２の底面を保護するプレート状の底面パッド部１３を形成するとともに、略箱状の部品収納部１２の形状が保持されるように部品収納部形成部の所定の部分２５（図５，図６）を段ボール紙２４の他の一部に貼り付けて固定した構造を有している。
【００２５】
天パッド１５は、段ボール紙を折り曲げ加工することにより形成された、両端部が開口した背の低い四角筒状の部材であり、プレート状部材３を収納して保護するとともに、乾燥機本体２及び部品収納・底パッド１４の天面側を保護する機能を果たすものである。
【００２６】
ケース本体１６は、一対の前・側面パッド１１ａ，１１ｂ、部品収納・底パッド１４、及び天パッド１５が配設された状態で浴室暖房乾燥機を収納して保護する機能を果たすものであり、打ち抜き加工した一枚の段ボール紙を折り曲げ加工することにより、箱状に形成されている。
【００２７】
上記実施形態の包装材を用いた包装構造によれば、前面及び側面の内側に突出する段部２１を備えた前・側面パッド１１（１１ａ，１１ｂ）を乾燥機本体２の両端部に配設するようにしているので、段部２１で乾燥機本体２の側面及び前面を保持するとともに、鍔部１の突出した部分を逃がして鍔部１を確実に保護することが可能になり、また、部品収納部１２と、乾燥機本体２の底面を保護する底面パッド部１３を一体に備えた部品収納・底パッド１４により、乾燥機本体２の背面及び底面を確実に保護し、さらに、天パッド１５により、被包装物本体及び部品収納・底パッドの天面側を確実に保護するようにしているので、部品点数の少ない包装材で、鍔部を備えた物品を含む被包装物を容易かつ確実に包装することが可能になる。さらに、部品点数の少ない包装材で包装を行うことが可能になるため、包装コストの低減を図ることができる。
【００２８】
また、図３に示すように、前・側面パッド１１の段部２１の形状を保持しやすくするために、段部形成部の所定の部分２３を段ボール紙２２の他の一部に貼り付けて固定するようにしているので、容易かつ確実に所定の段部２１を備えた前・側面パッド１１を形成することができて望ましい。
【００２９】
また、図５に示すように、部品収納・底パッド１４の、部品収納部１２の形状が保持されるように部品収納部形成部の所定の部分２５を、一枚の段ボール紙２４の他の一部に貼り付けて固定しているので、所定の形状、構造を備えた部品収納・底パッド１４を確実に形成することができる。
また、この実施形態の包装構造によれば、乾燥機本体の鍔部とプレート状部材（天井取り付け用グリル板）を確実に保護して、その変形を防止することが可能になることから、使用時にプレート状部材（天井取り付け用グリル板）を乾燥機本体の鍔部に取り付ける場合にも、確実な取り付けを行うことが可能になり、製品である浴室暖房乾燥機の機能を十分に発揮させることが可能になる。
【００３０】
なお、上記実施形態では、被包装物が浴室暖房乾燥機である場合を例にとって説明したが、本願発明を適用することが可能な被包装物はこれに限られるものではなく、例えば、ガス加熱調理器その他の種々の被包装物（すなわち、他の部分より周辺側に突出した鍔部を備えた被包装物本体と、プレート状部材と、他の付属部品とを含む種々の被包装物）を包装する場合に広く本願発明を適用することが可能である。
【００３１】
本願発明はさらにその他の点においても上記実施形態に限定されるものではなく、包装材を構成する一対の前・側面パッド１１ａ，１１ｂ、部品収納・底パッド１４、天パッド１５、及びケース本体１６などの具体的な形状や細部の構造などに関し、発明の範囲内において、種々の応用、変形を加えることが可能である。
【００３２】
【発明の効果】
上述のように本願発明（請求項１）の包装材は、前面及び側面の内側に突出する段部を備えた前・側面パッドを被包装物本体の両端部に配設するようにしているので、段部を被包装物本体の側面及び前面に当接させて被包装物本体を保持するとともに、鍔部の被包装物本体の周辺より外側に突出した部分を逃がすことが可能になり、応力が加わった場合に変形を生じやすい鍔部を確実に保護することが可能になる。
また、背面を保護するとともに被包装物の他の付属部品が収納される部品収納部と、被包装物本体の底面を保護する底面パッド部を一体に備えた部品収納・底パッドを、被包装物本体の背面及び底面を保護するように配設するとともに、天パッドを、プレート状部材を収納した状態で被包装物本体及び部品収納・底パッドの上側に配設するようにしているので、被包装物本体の背面及び底面を部品収納・底パッドより確実に保護し、かつ、被包装物本体及び部品収納・底パッドの天面側を天パッドにより確実に保護することが可能になる。
したがって、本願発明の包装材によれば、信頼性の高い包装を行うことが可能になる。
また、本願発明（請求項１）の包装材によれば、部品点数の少ない包装材で、鍔部を備えた物品を含む被包装物を容易に包装することが可能になるため、包装コストの低減を図ることが可能になる。
【００３３】
また、請求項２の包装材のように、前・側面パッドを、所定の形状に打ち抜き加工した一枚の段ボール紙を折り曲げ加工して段部を形成するとともに、段部の形状を保持しやすくするために段部形成部を段ボール紙の他の一部に固定した構造とした場合、容易かつ確実に所定の段差を備えた前・側面パッドを形成することが可能になり、本願発明を実効あらしめることができる。
【００３４】
また、請求項３の包装材のように、部品収納・底パッドを、略箱状の部品収納部と、被包装物本体の底面を保護するプレート状の底面パッド部を一体に備え、かつ、略箱状の部品収納部の形状が保持されるように部品収納部形成部の少なくとも一部を、一枚の段ボール紙の他の一部に固定した構造とした場合、所定の形状、構造を備えた部品収納・底パッドを確実に形成することが可能になり、本願発明をさらに実効あらしめることができる。
【００３５】
また、請求項４のように、本願発明の包装材を、鍔部を備えた乾燥機本体と、天井取り付け用グリル板と、部品収納・底パッドに収納される他の付属部品に相当する排気エルボとを備えた浴室暖房乾燥機の包装に適用した場合、複雑な包装作業を必要とすることなく、衝撃緩衝性能に優れた、信頼性の高い包装を行うことが可能になり特に有意義である。
【００３６】
また、本願発明（請求項５）の包装構造においては、請求項１〜４のいずれかに記載の包装材が用いられており、被包装物本体の両端部には、一対の前・側面パッドが、その段部が被包装物本体の側面及び前面と当接して被包装物本体を保持するとともに、鍔部の突出した部分を段部に当接しないような態様で配設されており、かつ、他の付属部品が収納される部品収納部と、底面パッド部を備えた部品収納・底パッドが、部品収納部の内部空間に他の付属部品を収納し、かつ、底面パッド部が被包装物本体の底面側に位置して被包装物本体の底面を保護するような態様で配設され、天パッドがプレート状部材を収納した状態で、被包装物本体及び部品収納・底パッドの天面側が保護されるような態様で被包装物本体及び部品収納・底パッドの上側に配設されており、さらに、包装材を構成する各部材が所定の位置に配設された状態が保持されるような態様で、被包装物が箱状のケース本体に収納されているので、部材点数の少ない包装材を用いて、信頼性の高い包装を実現することが可能になる。
【図面の簡単な説明】
【図１】本願発明の一実施形態にかかる包装材の構成を示す分解斜視図である。
【図２】本願発明の一実施形態にかかる包装材を用いた浴室暖房乾燥機の包装構造を示す分解斜視図である。
【図３】本願発明の一実施形態にかかる包装材を構成する前・側面パッドを示す斜視図である。
【図４】本願発明の一実施形態にかかる包装材を構成する前・側面パッドの展開図（すなわち、前・側面パッドを形成するのに用いた段ボール紙の打ち抜き形状を示す図）である。
【図５】本願発明の一実施形態にかかる包装材を構成する部品収納・底パッドを示す斜視図である。
【図６】本願発明の一実施形態にかかる包装材を構成する部品収納・底パッドの展開図（すなわち、部品収納・底パッドを形成するのに用いた段ボール紙の打ち抜き形状を示す図）である。
【図７】従来の浴室暖房乾燥機の包装構造を示す分解斜視図である。
【符号の説明】
１　　　　鍔部（フランジ部）
２　　　　乾燥機本体（被包装物本体）
３　　　　プレート状部材（天井取り付け用グリル板）
４　　　　排気エルボ
５　　　　コード
１１（１１ａ，１１ｂ）　　前・側面パッド
１２　　　部品収納部
１３　　　底面パッド部
１４　　　部品収納・底パッド
１５　　　天パッド
１６　　　ケース本体
１７　　　乾燥機本体上面保護パッド
２１　　　段部
２２　　　段ボール紙
２３　　　段部形成部の所定の部分
２４　　　段ボール紙
２５　　　部品収納部形成部の所定の部分
【図１】
2004136920.tif 000003
【図２】
2004136920.tif 000004
【図３】
2004136920.tif 000005
【図４】
2004136920.tif 000006
【図５】
2004136920.tif 000007
【図６】
2004136920.tif 000008
【図７】
2004136920.tif 000009